(57)【要約】【課題】耐久性に優れ、且つ、組立作業性に優れる防水・防塵構造を有する回転操作部を備える電子機器を提供する。【解決手段】電子機器の一例である撮像装置１は、円板状の外周面を操作可能に軸支持されたＮＤダイヤル４０１と、前ケース４０２と後ケース４０３に収容され、ＮＤダイヤル４０１の回転動作によって駆動されるカム４０５とアームユニット４０７ａ〜４０７ｄを備える。ＮＤダイヤル４０１に前ケース４０２向かって突出するダイヤル円周リブ４０１４を設け、前ケース４０２にダイヤル円周リブ４０１４の内周近傍においてＮＤダイヤル４０１に向かって突出する前ケース円周凸部４０２１を設ける。前ケース円周凸部４０２１の上面に潤滑剤４２２が充填される前ケース円周溝部４０２２を設け、ＮＤ回転ダイヤル４０１には前ケース円周溝部４０２２内に収まるダイヤル円周小リブ４０１５を設ける。【選択図】図８
2014044311.tif 000002
【特許請求の範囲】
【請求項１】
円板状の外周面を操作可能に、回転軸を中心として回転可能に支持されている回転操作部材と、
前記回転操作部材の回転動作によって駆動される被駆動部と、
前記被駆動部を収容するケース部材とを有し、
前記ケース部材は、前記回転操作部材の平面部と略平行に対向する面を有し、
前記回転操作部材の前記平面部と前記ケース部材において前記平面部と対向する面の、一方には対向する面に向かって突出する円周リブが設けられる共に、他方には対向する面に向かって前記円周リブの内周近傍において突出する円周凸部が設けられ、
前記円周凸部の上面または前記円周凸部に対向する面に円周溝部が設けられ、前記円周溝部には潤滑剤が前記円周凸部に少なくとも接するように充填されていることを特徴とする電子機器。
【請求項２】
前記円周溝部が設けられていない他方の面に前記円周溝部に対向するように円周小リブが設けられていることを特徴とする請求項１記載の電子機器。
【請求項３】
前記円周溝部と前記円周小リブとの間の隙間は、前記円周リブの上面と前記円周リブと対向する面との間の隙間よりも狭いことを特徴とする請求項２に記載の電子機器。
【請求項４】
前記潤滑剤は粘度の高い半固体状の潤滑剤であることを特徴とする請求項１乃至３のいずれか１項に記載の電子機器。
【請求項５】
前記回転操作部材が回転操作されたときにクリック感が得られるように前記回転操作部材と前記ケース部材との間に設けられた弾性部材を更に備えることを特徴とする請求項１乃至４のいずれか１項に記載の電子機器。
【請求項６】
請求項１乃至５のいずれか１項に記載の電子機器を備えることを特徴とする撮像装置。
【発明の詳細な説明】
【技術分野】
【０００１】
本発明は電子機器及び撮像装置に関し、電子機器の回転操作部の密閉構造に関する。
【背景技術】
【０００２】
電子機器の一例であるデジタルビデオカメラ等には、ユーザが撮影時の絞りや露出、映像再生時の音量等を細かく調節することができるように、多くの回転操作部材が搭載されている。これらの回転操作部材は、ユーザが直接操作することができるように、外装カバーから露出しているものが多く、安定した操作感を得るために外装カバーとの間に微小の隙間を設けることが一般的である。
【０００３】
近年では、防水・防塵機能を備えることによって付加価値を高めたデジタルビデオカメラ等も多く登場している。このようなデジタルビデオカメラ等では、回転操作部材周りの微小な隙間から水滴やゴミ等の異物が装置内部に侵入しないように、防水・防塵構造を設計する必要がある。そこで、例えば、操作部材と固定部材との間の軸部にリング状の弾性シール材と平ワッシャとを設けた防水・防塵構造が提案されている（特許文献１参照）。
【先行技術文献】
【特許文献】
【０００４】
【特許文献１】特開２０００−３５２４６６号公報
【発明の概要】
【発明が解決しようとする課題】
【０００５】
しかしながら、上記特許文献１に記載された技術では、弾性シール材によって電子機器の使用初期における異物の侵入は防げるが、回転操作を繰り返すうちに平ワッシャが摩耗し、また、経時的に弾性シール材の弾性低下によって回転荷重が低下する。このような平ワッシャの摩耗や弾性シール材の経時劣化によって密閉性能が劣化してしまうため、定期的に平ワッシャや弾性シール材を新品に交換しなければならないという問題がある。また、平ワッシャや弾性シール材を軸部に嵌め込む必要があるために組立作業性がよいものではない。
【０００６】
本発明は、耐久性に優れ、且つ、組立作業性に優れる防水・防塵構造を有する回転操作部を備える電子機器を提供することを目的とする。
【課題を解決するための手段】
【０００７】
本発明に係る電子機器は、円板状の外周面を操作可能に、回転軸を中心として回転可能に支持されている回転操作部材と、前記回転操作部材の回転動作によって駆動される被駆動部と、前記被駆動部を収容するケース部材とを有し、前記ケース部材は、前記回転操作部材の平面部と略平行に対向する面を有し、前記回転操作部材の前記平面部と前記ケース部材において前記平面部と対向する面の、一方には対向する面に向かって突出する円周リブが設けられる共に、他方には対向する面に向かって前記円周リブの内周近傍において突出する円周凸部が設けられ、前記円周凸部の上面または前記円周凸部に対向する面に円周溝部が設けられ、前記円周溝部には潤滑剤が前記円周凸部に少なくとも接するように充填されていることを特徴とする。
【発明の効果】
【０００８】
本発明によれば、回転操作部の耐久性を向上させることができ、長期の回転動作に対しても安定した回転荷重を維持することができる。また、弾性シール材や平ワッシャを必要としないため、部品点数を削減して、組立作業性を向上させることができる。
【図面の簡単な説明】
【０００９】
【図１】本発明の実施形態に係る撮像装置の正面側斜視図である。
【図２】図１の撮像装置の背面側斜視図である。
【図３】第１実施形態に係る回転操作部であるＮＤ回転ダイヤルを含むＮＤユニットの外観斜視図である。
【図４】図３のＮＤユニットの分解斜視図である。
【図５】図３のＮＤユニットの内部斜視図である。
【図６】図３のＮＤユニットを構成するカムとＮＤアームユニットの構造を示す内部斜視図である。
【図７】図３のＮＤ回転ダイヤルの密閉構造を示す断面図である。
【図８】図７に示すＣ部の拡大断面図である。
【図９】図３のＮＤ回転ダイヤルにおいて前ケースと対向する面の斜視図である。
【図１０】図３のＮＤユニットの前ケースにおいてＮＤ回転ダイヤルと対向する面の斜視図である。
【図１１】第２実施形態に係る回転操作部であるＮＤ回転ダイヤルの密閉構造を示す断面図である。
【図１２】図１１に示すＥ部の拡大断面図である。
【図１３】図１１のＮＤ回転ダイヤルにおいて前ケースと対向する面の斜視図である。
【図１４】図１１のＮＤユニットの前ケースにおいてＮＤ回転ダイヤルと対向する面の斜視図である。
【図１５】第３実施形態に係る回転操作部であるＮＤ回転ダイヤルの密閉構造を示す断面図である。
【図１６】図１５に示すＦ部の拡大断面図である。
【図１７】図１５のＮＤ回転ダイヤルにおいて前ケースと対向する面の斜視図である。
【図１８】図１５のＮＤユニットの前ケースにおいてＮＤ回転ダイヤルと対向する面の斜視図である。
【図１９】第４実施形態に係る回転操作部であるＮＤ回転ダイヤルの密閉構造を示す断面図である。
【図２０】図１９に示すＧ部の拡大断面図である。
【図２１】図１９のＮＤ回転ダイヤルにおいて前ケースと対向する面の斜視図である。
【図２２】図１９のＮＤユニットの前ケースにおいてＮＤ回転ダイヤルと対向する面の斜視図である。
【発明を実施するための形態】
【００１０】
以下、本発明の実施の形態について、添付図面を参照して詳細に説明する。ここでは、本発明に係る電子機器として、撮像装置（より具体的には、レンズ交換式デジタルビデオカメラ）を取り上げることとするが、本発明はこれに限定されるものではない。
【００１１】
＜撮像装置の概略構成＞
図１は、本発明の実施形態に係る撮像装置１００の正面側斜視図であり、図２は、撮像装置１００の背面側斜視図である。撮像装置１００は、装置本体１に交換レンズ４を着脱可能に構成されており、装置本体１の前方には、交換レンズ装着部１０１と、交換レンズ４を取り外すレンズ取り外しボタン１０２とが配置されている。
【００１２】
撮像装置１００の前方から見て装置本体１の右側面には、撮影者の操作によって装置本体１に所定の動作を実行させる操作ボタン群１０３と、電源スイッチ１０４と、装置本体１の放熱を担うファンが排気を行うための排気口１０５が設けられている。また、同右側面には、ストラップベルト環１０６と、装置本体１の内部に配置された撮像素子の前面に位置する１種類の透明ガラス及び３種類のＮＤガラスの中から撮影者が１枚のガラスを選択するための円板状のＮＤ回転ダイヤル４０１が設けられている。ＮＤ回転ダイヤル４０１は、撮影者が操作可能となるように、外観部にその一部（外周面）が露出している。装置本体１の上方には、ハンドル部２を着脱可能にするアクセサリシュー１０７が設けられている。
【００１３】
装置本体１の後方には、撮像装置１００の制御状態や映像等を撮影者が確認するための表示部１０８と、表示部１０８を開閉／回転可能に支持するヒンジ部１０９とが設けられている。また、同後方には、撮像装置１００の制御状態や映像を撮影者が覗き込んで確認可能なビューファインダー部１１０と、バッテリ１１１を収納するバッテリ室１１２と、外部機器やマイク、ヘッドフォン等が接続される入出力端子群１１３が設けられている。装置本体１においてヒンジ部１０９を回転中心として表示部１０８を装置本体１の上側へ移動させたときに現れる内側部分には、不図示の記録メディア装着部や撮影画を再生操作可能な操作ボタン群が設けられている。
【００１４】
撮像装置１００の後方から見て装置本体１の右側面には、グリップ部３を着脱可能とする不図示のネジ部と、装置本体１の内部に設けられたファンが外気を吸い込むための吸気口１１４が設けられている。
【００１５】
装置本体１の上部に取り付けられたハンドル部２の前方には、音声を記録するためのマイク部２０１が設けられており、ハンドル部２の前方から見てハンドル部２の右側面には、音声信号を調節可能な音声ボタン群２０２が設けられている。ハンドル部２の上方には、録画の開始と一時停止を行うＲＥＣ／ＰＡＵＳＥボタン２０３と、ビデオライト等の外付けアクセサリが装着可能な外部アクセサリシュー２０４と、ネジ部２０５とが設けられている。
【００１６】
ハンドル部２の後方には、装置本体１のアクセサリシュー１０７に嵌合する不図示の足部が設けられている。また、ハンドル部２には、装置本体１に設けられた不図示のネジ部に螺合し、ハンドル部２を装置本体１に対して固定するダイヤルネジ２０６と、ダイヤルネジ２０６を鉛直上方に付勢する不図示のコイルばね等の弾性部材が設けられている。ハンドル部２の不図示の足部を装置本体１のアクセサリシュー１０７に嵌合させ、ダイヤルネジ２０６を装置本体１の不図示のネジ部に螺合させることで、ハンドル部２は装置本体１に固定される。
【００１７】
ハンドル部２の後方から見てハンドル部２の右側面には、各操作部の制御信号や音声信号を装置本体１と送受信する信号線２０７と、外部マイクを装着するための外部マイクコネクタ２０８と、外部マイクを保持する外部マイクホルダー２０９とが設けられている。グリップ部３には、ＲＥＣ／ＰＡＵＳＥボタン３０１と、十字キー３０２と、グリップ部３を撮影者が把持するときの補助となるグリップベルト３０３とが設けられている。
【００１８】
装置本体１には、交換レンズ装着部１０１に対応した交換レンズ４を装着することができ、不図示のレンズ接点部を通じて装置本体１は交換レンズ４と制御信号を送受信することができる。これにより、装置本体１に設けられた操作ボタン群１０３の操作によって、交換レンズ４の動作制御が可能となる。
【００１９】
＜第１実施形態＞
図３〜図６を参照して、第１実施形態に係る回転操作部材であるＮＤ回転ダイヤル４０１を含むＮＤユニットの構造について説明する。図３は、第１実施形態に係る回転操作部材であるＮＤ回転ダイヤル４０１を含むＮＤユニット４００の外観斜視図である。図４は、ＮＤユニット４００の分解斜視図である。図５は、ＮＤユニット４００の内部斜視図である。図６は、ＮＤユニット４００を構成するカム４０５とＮＤアームユニット４０７ａ〜４０７ｄの構造を示す内部斜視図である。
【００２０】
ＮＤユニット４００は、前ケース４０２と後ケース４０３とで覆われた略縦長矩形の箱形状を有する。ＮＤ回転ダイヤル４０１は、前ケース４０２とダイヤルケース４０４との間に一定の隙間を設けて、回転軸部４０６を回転中心として回転可能に軸支持されている。ＮＤ回転ダイヤル４０１を回転させると、ＮＤ回転ダイヤル４０１に被駆動部の１つとして連結されているカム４０５が同位相で回転する。なお、回転軸部４０６は、ＮＤ回転ダイヤル４０１とカム４０５の回転中心に配置されており、ＮＤ回転ダイヤル４０１とカム４０５がそれぞれ有する穴部が回転軸部４０６に嵌合している。
【００２１】
カム４０５は、回転方向に９０°（度）ずつ位相がずれ、厚み方向にもずれた位置に設けられた腕部４０５ａ〜４０５ｄを有する。そして、腕部４０５ａ〜４０５ｄのそれぞれに対応する位置に、ＮＤ回転ダイヤル４０１の回転操作によるカム４０５の回転によって駆動される被駆動部であるＮＤアームユニット４０７ａ，４０７ｂ，４０７ｃ，４０７ｄが配置されている。前ケース４０２と後ケース４０３は、ＮＤアームユニット４０７ａ〜４０７ｄを収容するケース部材である。
【００２２】
ＮＤアームユニット４０７ａは透明ガラス４０８ａを有し、ＮＤアームユニット４０７ｂ，４０７ｃ，４０７ｄはそれぞれ、濃度（光透過特性）の異なるＮＤガラス４０８ｂ，４０８ｃ，４０８ｄを有する。ＮＤ回転ダイヤル４０１を回転させると、カム４０５の９０°毎に位相がずれている腕部４０５ａ〜４０５ｄが、腕部４０５ａ〜４０５ｄに対向するＮＤアームユニット４０７ａ〜４０７ｄを移動させる。なお、透明ガラス４０８ａ及びＮＤガラス４０８ｂ〜４０８ｄの並びは順不同であってもよいが、ＮＤ回転ダイヤル４０１の回転にしたがって徐々に濃度が変化する配置とすることが望ましい。
【００２３】
ＮＤアームユニット４０７ａ〜４０７ｄの動きについて説明する。図５及び図６には、腕部４０５ａによってＮＤアームユニット４０７ａの先端を保護するアームキャップ部４０９ａが持ち上げられた状態が示されている。ＮＤアームユニット４０７ｂ〜４０７ｄの先端を保護するアームキャップ部４０９ｂ，４０９ｃ，４０９ｄには、引張りバネ４１０ｂ，４１０ｃ，４１０ｄの力がカム方向に加わっている。そのため、ＮＤガラス４０８ｂ〜４０８ｄが上方に持ち上げられた状態が維持されている。
【００２４】
カム４０５の腕部４０５ａがＮＤアームユニット４０７ａの先端のアームキャップ部４０９ａを持ち上げる力は、引張りバネ４１０ａの力よりも強い。そのため、腕部４０５ａがアームキャップ部４０９ａを持ち上げると、アーム軸部４１１を支点としてガラス保持腕部４１２ａが下がり、透明ガラス４０８ａが光軸中心Ａの位置に移動する。つまり、腕部４０５ａによって持ち上げられたＮＤアームユニット４０７ａが保持している透明ガラス４０８ａのみが光軸中心Ａに位置し、その他の３枚のＮＤガラス４０８ｂ〜４０８ｄは、透明ガラス４０８ａと投影上重ならない退避位置にある状態となる。
【００２５】
ＮＤ回転ダイヤル４０１を図５及び図６の位置から図５に示す矢印Ｒ方向に回転させると、腕部４０５ａがＮＤアームユニット４０７ａから遠ざかるために、ＮＤアームユニット４０７ａの先端のアームキャップ部４０９ａを持ち上げる力が弱まる。これにより、透明ガラス４０８ａは退避位置に移動すると同時に、腕部４０５ａと９０°位相がずれている腕部４０５ｂが、ＮＤアームユニット４０７ｂの先端のアームキャップ部４０９ｂを持ち上げる。これにより、アーム軸部４１１を支点としてガラス保持腕部４１２ｂが下がり、ＮＤガラス４０８ｂが光軸中心Ａの位置に移動する。
【００２６】
ＮＤアームユニット４０７ａ〜４０７ｄは同等の構造を有する。そのため、ＮＤ回転ダイヤル４０１を更に回転させたときの、ＮＤアームユニット４０７ｃ，４０７ｄのアームキャップ部４０９ｃ，４０９ｄ、ガラス保持腕部４１２ｃ，４１２ｄ、ＮＤガラス４０８ｃ，４０８ｄの動きについての説明は省略する。
【００２７】
ＮＤユニット４００は、厚み方向に４つが重なっているＮＤアームユニット４０７ａ〜４０７ｄを衝突させることなくスムーズに駆動するために、ガイドレール部４１３，４１４，４１５を備える。ＮＤアームユニット４０７ａ〜４０７ｄのうち光軸中心Ａの位置に移動してきたＮＤアームユニットの衝撃を和らげるために、弾性部材で作られたダンパー４１６が所定位置に設けられている。また、ＮＤアームユニット４０７ａ〜４０７ｄのうち光軸中心Ａの位置に移動してきたアームユニットは、そのアームユニットが有する透明ガラス４０８ａ又はＮＤガラス４０８ｂ〜４０８ｄの位置を維持するため、ダンパー４１６にチャージした位置で静止する。ＮＤアームユニット４０７ａ〜４０７ｄのうち光軸中心Ａの位置から退避位置に移動してきたＮＤアームユニットの衝撃を和らげるために、弾性部材で作られたストッパ４１７が所定位置に設けられている。
【００２８】
透明ガラス４０８ａ及びＮＤガラス４０８ｂ〜４０８ｄを光軸中心Ａの位置で静止させるために、ＮＤ回転ダイヤル４０１の裏面には、クリックプレート４１８が設けられている。クリックプレート４１８は、９０°の位相毎にクリック感を生じさせ、ＮＤ回転ダイヤル４０１の位置を保持する。
【００２９】
ダイヤルケース４０４には、３個の穴部が設けられており、各穴部にＮＤ回転ダイヤル４０１の回転位相を検出するフォトインタラプタ４１９ａ，４１９ｂ，４１９ｃが配置されている。９０°毎の位相でフォトインタラプタ４１９ａ〜４１９ｃが発光する光を遮断するために、ＮＤ回転ダイヤル４０１には、一定間隔でスリットが形成された円周状の遮光リブ４０１１，４０１２が設けられている。
【００３０】
フォトインタラプタ４１９ａ〜４１９ｃはＮＤフレキシブルプリント基板４２０に実装され、ＮＤフレキシブルプリント基板４２０は、押さえ板４２１によってダイヤルケース４０４に固定される。フォトインタラプタ４１９ａ〜４１９ｃは、ＮＤ回転ダイヤル４０１の回転位相（透明ガラス４０８ａとＮＤガラス４０８ｂ〜４０８ｄのうちどのガラスが光軸中心Ａの位置にあるか）を検出する。光軸中心Ａにあるガラスの情報を示すフォトインタラプタ４１９ａ〜４１９ｃの検出信号は、装置本体１の回路基板（不図示）に実装された制御回路へ送信され、制御回路は光軸中心Ａにあるガラスの情報を表示部１０８とビューファインダー部１１０に表示する。
【００３１】
次に、図７〜図１０を参照して、ＮＤ回転ダイヤル４０１の密閉構造について説明する。図７は、ＮＤ回転ダイヤル４０１の密閉構造を示す断面図であり、図３中に示す矢視Ｂ−Ｂ断面図である。図８は、ＮＤ回転ダイヤル４０１の密閉構造を示す拡大断面図であり、図７中のＣ部の詳細を示している。図９は、ＮＤ回転ダイヤル４０１において前ケース４０２と対向する面の斜視図である。図１０は、前ケース４０２においてＮＤ回転ダイヤル４０１と対向する面の斜視図である。
【００３２】
ＮＤ回転ダイヤル４０１は、前ケース４０２とダイヤルケース４０４との間に一定の隙間を設けて、回転軸部４０６を回転中心として回転可能に軸支持されている。ＮＤ回転ダイヤル４０１と前ケース４０２は、互いに対向する、回転中心軸Ｄに直交する面と平行な面を有する。また、ＮＤ回転ダイヤル４０１とダイヤルケース４０４は、互いに対向する、回転中心軸Ｄに直交する面と平行な面を有する。ダイヤルケース４０４は、回転中心軸Ｄ上で後ケース４０３にカシメられた回転軸部４０６とビス固定されている。ＮＤ回転ダイヤル４０１は回転軸部４０６に回転可能に取り付けられたカム４０５とダイヤル係合部４０１３にて係合しているため、ＮＤ回転ダイヤル４０１を回転させると、カム４０５が同位相で回転する。
【００３３】
ＮＤ回転ダイヤル４０１の裏面（ＮＤ回転ダイヤル４０１と前ケース４０２の間）には、クリックプレート４１８が配置されている。クリックプレート４１８は、１８０度対向する位置にクリックを出す凸部４１８ａ，４１８ｂを有する。前ケース４０２は、凸部４１８ａ，４１８ｂに対応するクリック摺動リブ４０２３ａ，４０２３ｂ，４０２３ｃ，４０２３ｄと、クリック凹部４０２４ａ，４０２４ｂ，４０２４ｃ，４０２４ｄとを有する。クリック凹部４０２４ａ〜４０２４ｄは、ＮＤユニット４００内の透明ガラス４０８ａ及びＮＤガラス４０８ｂ〜４０８ｄが個々に光軸中心Ａ上に来るときにクリックを出すために、全周３６０度を４等分した９０°毎に設けられている。
【００３４】
クリックプレート４１８はＮＤ回転ダイヤル４０１を前ケース４０２から引き離す方向に力を加えており、ＮＤ回転ダイヤル４０１と前ケース４０２との間に隙間が生じるため、この隙間を通したゴミ等の異物の侵入を防ぐ構造が必要となる。そこで、図８及び図９に示すように、ＮＤ回転ダイヤル４０１の平面部には、回転中心軸Ｄを中心として円周状に延在するダイヤル円周リブ４０１４が設けられている。ダイヤル円周リブ４０１４は、前ケース４０２に向かって突出しており、ダイヤル円周リブ４０１４と前ケース４０２との間には一定のクリアランスＨ１が設けられている。これにより、大きさがＨ１以上の異物の侵入を防ぐことができる。
【００３５】
また、図８及び図１０に示すように、前ケース４０２には、回転中心軸Ｄを中心として円周状に延在する前ケース円周凸部４０２１が設けられている。前ケース円周凸部４０２１は、ダイヤル円周リブ４０１４の内周近傍に設けられており、ＮＤ回転ダイヤル４０１に向かって突出している。前ケース円周凸部４０２１の上面（天面）の略中央には、円周状に切り欠かれた前ケース円周溝部４０２２が形成されており、前ケース円周溝部４０２２には、潤滑剤４２２（図１０に斜線部で示す）が充填されている。潤滑剤４２２には、例えば、グリスのような比較的粘度の高い半固体状の潤滑剤が用いられる。これにより密閉性が向上し、しかも、飛散や漏洩の可能性が小さくなる。なお、潤滑剤４２２には、ＮＤ回転ダイヤル４０１の摺動性を高めるために使用する潤滑剤と同等のものを用いてもよい。
【００３６】
ＮＤ回転ダイヤル４０１には、回転中心軸Ｄを中心として円周状に延在するダイヤル円周小リブ４０１５が、前ケース円周溝部４０２２内に収まるように、且つ、前ケース円周溝部４０２２内に充填された潤滑剤４２２に接触するように、設けられている。ダイヤル円周小リブ４０１５と前ケース円周溝部４０２２との間には一定のクリアランスＨ２が設けられている。ダイヤル円周小リブ４０１５と前ケース円周溝部４０２２とのクリアランスＨ２は、ダイヤル円周リブ４０１４と前ケース４０２とのクリアランスＨ１よりも小さくなるように設計されている。
【００３７】
これにより、クリアランスＨ１の隙間を通って侵入した小さな異物は、クリアランスＨ２の領域で充填されている潤滑剤４２２内に留まることになり、こうして、ＮＤユニット４００の内部に異物が侵入するのを防ぐことができる。また、このようなクリアランス構成をとることにより、潤滑剤４２２内に溜まる異物は小さな異物に限られる。そのため、ＮＤ回転ダイヤル４０１の動きに支障は生じ難く、よって、ＮＤ回転ダイヤル４０１の動きを良好な状態に維持することができる。
【００３８】
以上の説明の通り、第１実施形態では、回転中心軸Ｄを中心として円周状に延在するダイヤル円周リブ４０１４によってＮＤユニット４００の内部への大きな異物の侵入を防ぐ。その上で、ダイヤル円周リブ４０１４の近傍において回転中心側に設けられた前ケース円周凸部４０２１の上面の前ケース円周溝部４０２２内に充填された潤滑剤４２２及びダイヤル円周小リブ４０１５により、ＮＤユニット４００の内部への小さな異物の侵入を防ぐ。このように２段階で異物の侵入を防ぐため、長期の回転動作に対しても安定した回転荷重を維持することが可能となり、回転操作部の耐久性を向上させることができる。また、弾性シール材や平ワッシャを必要とせず、部品点数が削減されるため、組立作業性が向上し、製造コスト（製品コスト）を削減することができる。
【００３９】
＜第２実施形態＞
図１１〜図１４を参照して、本発明の第２実施形態に係る回転操作部材であるＮＤ回転ダイヤルを含むＮＤユニットの構造について説明する。図１１は、本発明の第２実施形態に係るＮＤ回転ダイヤル５０１の密閉構造を示す断面図であり、図３中の矢視Ｂ−Ｂ断面に相当する図である。図１２は、ＮＤ回転ダイヤル５０１の密閉構造を示す拡大断面図であり、図１１中のＥ部の詳細を示している。図１３は、ＮＤ回転ダイヤル５０１において前ケース５０２と対向する面の斜視図である。図１４は、前ケース５０２においてＮＤ回転ダイヤル５０１と対向する面の斜視図である。なお、ＮＤ回転ダイヤル５０１の密閉構造以外のＮＤユニット５００の構造は、第１実施形態で説明したＮＤユニット４００と同様であるため、ここでの説明を省略する。
【００４０】
ＮＤユニット５００において、ＮＤ回転ダイヤル５０１は、前ケース５０２とダイヤルケース５０４との間に一定の隙間を設けて、回転軸部５０６を回転中心として回転可能に軸支持されている。ＮＤ回転ダイヤル５０１と前ケース５０２は、互いに対向する、回転中心軸Ｄに直交する面と平行な面を有する。また、ＮＤ回転ダイヤル５０１とダイヤルケース５０４は、互いに対向する、回転中心軸Ｄに直交する面と平行な面を有する。ダイヤルケース５０４は、回転中心軸Ｄ上で後ケース５０３にカシメられた回転軸部５０６にビス固定されている。ＮＤ回転ダイヤル５０１は回転軸部４０６に回転可能に取り付けられたカム５０５とダイヤル係合部５０１３にて係合しているため、ＮＤ回転ダイヤル５０１を回転させると、カム５０５が同位相で回転する。
【００４１】
ＮＤ回転ダイヤル５０１と前ケース５０２との間には、クリックプレート５０７が設けられている。クリックプレート５０７は、１８０度対向する位置にクリックを出す凸部５０７ａ，５０７ｂを有する。前ケース５０２は、凸部５０７ａ，５０７ｂに対応するクリック摺動リブ５０２３ａ，５０２３ｂ，５０２３ｃ，５０２３ｄと、クリック凹部５０２４ａ，５０２４ｂ，５０２４ｃ，５０２４ｄを有し、クリック凹部５０２４ａ〜５０２４ｄは９０°毎に設けられている。
【００４２】
クリックプレート５０７は、ＮＤ回転ダイヤル５０１を前ケース５０２から引き離す方向に力を加えており、ＮＤ回転ダイヤル５０１と前ケース５０２との間に隙間が生じるため、この隙間を通したゴミ等の異物の侵入を防ぐ構造が必要となる。そこで、図１２及び図１３に示すように、ＮＤ回転ダイヤル５０１には、回転中心軸Ｄを中心として円周状に延在するダイヤル円周リブ５０１４が設けられている。ダイヤル円周リブ５０１４は、前ケース５０２に向かって突出し、ダイヤル円周リブ５０１４と前ケース５０２との間には一定のクリアランスＨ１が設けられている。これにより、大きさがＨ１以上の異物の侵入を防ぐことができる。
【００４３】
図１２及び図１４に示すように、前ケース５０２には、回転中心軸Ｄを中心として円周状に延在する前ケース円周凸部５０２１が設けられている。前ケース円周凸部５０２１は、ダイヤル円周リブ５０１４の近傍において回転中心側に設けられており、ＮＤ回転ダイヤル５０１に向かって突出している。前ケース円周凸部５０２１の上面の略中央には、円周状に延在する前ケース円周小リブ５０２２が設けられている。
【００４４】
ＮＤ回転ダイヤル５０１には、円周状に切り欠かれたダイヤル円周溝部５０１５が設けられており、ダイヤル円周溝部５０１５には、潤滑剤５０８（図１３に示す斜線部）が充填されている。前ケース円周小リブ５０２２は、ダイヤル円周溝部５０１５内に収まるように、且つ、ダイヤル円周溝部５０１５内に充填された潤滑剤５０８に接触するように、設けられている。前ケース円周小リブ５０２２とダイヤル円周溝部５０１５との間には一定のクリアランスＨ２が設けられており、このクリアランスＨ２は、ダイヤル円周リブ５０１４と前ケース５０２との間のクリアランスＨ１よりも小さい。
【００４５】
つまり、第２実施形態では、第１実施形態と比較すると、円周小リブと円周溝部を設ける部位を逆にしている。このように、本発明では、ＮＤ回転ダイヤルと前ケースの互いに略平行に対向する面の一方に円周リブを、他方に円周凸部を設け、円周リブと円周凸部の一方に円周小リブを、他方に円周溝部を設けることができる。
【００４６】
これにより、クリアランスＨ１の隙間を通って侵入した小さな異物は、クリアランスＨ２の領域で充填されている潤滑剤５０８内に留まることになり、こうして、ＮＤユニット５００の内部に異物が侵入するのを防ぐことができる。また、このようなクリアランス構成をとることにより、潤滑剤５０８内に溜まる異物は小さな異物に限られる。そのため、ＮＤ回転ダイヤル５０１の動きに支障は生じ難く、よって、ＮＤ回転ダイヤル５０１の動きを良好な状態に維持することができる。
【００４７】
＜第３実施形態＞
図１５〜図１８を参照して、本発明の第３実施形態に係る回転操作部材であるＮＤ回転ダイヤルを含むＮＤユニットの構造について説明する。図１５は、本発明の第３実施形態に係るＮＤ回転ダイヤル６０１の密閉構造を示す断面図であり、図３中の矢視Ｂ−Ｂ断面に相当する図である。図１６は、ＮＤ回転ダイヤル６０１の密閉構造を示す拡大断面図であり、図１５中のＦ部の詳細を示している。図１７は、ＮＤ回転ダイヤル６０１において前ケース６０２と対向する面の斜視図である。図１８は、前ケース６０２においてＮＤ回転ダイヤル６０１と対向する面の斜視図である。なお、ＮＤ回転ダイヤル６０１の密閉構造以外のＮＤユニット６００の構造は、第１実施形態で説明したＮＤユニット４００と同様であるため、ここでの説明を省略する。
【００４８】
ＮＤユニット６００において、ＮＤ回転ダイヤル６０１は、前ケース６０２とダイヤルケース６０４との間に一定の隙間を設けて、回転軸部６０６を回転中心として回転可能に軸支持されている。ＮＤ回転ダイヤル６０１と前ケース６０２は、互いに対向する、回転中心軸Ｄに直交する面と平行な面を有する。また、ＮＤ回転ダイヤル６０１とダイヤルケース６０４は、互いに対向する、回転中心軸Ｄに直交する面と平行な面を有する。
【００４９】
ダイヤルケース６０４は、回転中心軸Ｄ上で後ケース６０３にカシメられた回転軸部６０６にビス固定されている。ＮＤ回転ダイヤル６０１は回転軸部６０６に回転可能に取り付けられたカム６０５とダイヤル係合部６０１３にて係合しているため、ＮＤ回転ダイヤル６０１を回転させると、カム６０５が同位相で回転する。
【００５０】
ＮＤ回転ダイヤル６０１と前ケース６０２との間には、クリックプレート６０７が設けられている。クリックプレート６０７は、１８０度対向する位置にクリックを出す凸部６０７ａ，６０７ｂを有する。前ケース６０２は、凸部６０７ａ，６０７ｂに対応するクリック摺動リブ６０２３ａ，６０２３ｂ，６０２３ｃ，６０２３ｄと、クリック凹部６０２４ａ，６０２４ｂ，６０２４ｃ，６０２４ｄを有し、クリック凹部６０２４ａ〜６０２４ｄは９０°毎に設けられている。
【００５１】
クリックプレート６０７は、ＮＤ回転ダイヤル６０１を前ケース６０２から引き離す方向に力を加えており、ＮＤ回転ダイヤル６０１と前ケース６０２との間に隙間が生じるため、この隙間を通したゴミ等の異物の侵入を防ぐ構造が必要となる。そこで、図１６及び図１８に示すように、前ケース６０２には、回転中心軸Ｄを中心として円周状に延在する前ケース円周リブ６０２１が設けられている。前ケース円周リブ６０２１は、ＮＤ回転ダイヤル６０１に向かって突出し、前ケース円周リブ６０２１とＮＤ回転ダイヤル６０１との間には一定のクリアランスＨ１が設けられている。これにより、大きさがＨ１以上の異物の侵入を防ぐことができる。
【００５２】
図１６及び図１７に示すように、ＮＤ回転ダイヤル６０１には、回転中心軸Ｄを中心として円周状に延在するダイヤル円周凸部６０１４が設けられている。ダイヤル円周凸部６０１４は、前ケース円周リブ６０２１の近傍において回転中心側に設けられており、前ケース６０２に向かって突出している。ダイヤル円周凸部６０１４の上面の略中央には、円周状に延在するダイヤル円周溝部６０１５が設けられており、ダイヤル円周溝部６０１５には、潤滑剤６０８（図１７に示す斜線部）が充填されている。
【００５３】
図１６及び図１８に示すように、前ケース６０２には、回転中心軸Ｄを中心として円周状に延在する前ケース円周小リブ６０２２が設けられている。前ケース円周小リブ６０２２は、ダイヤル円周溝部６０１５内に収まるように、且つ、ダイヤル円周溝部６０１５内に充填された潤滑剤６０８に接触するように設けられている。前ケース円周小リブ６０２２とダイヤル円周溝部６０１５との間には一定のクリアランスＨ２が設けられており、このクリアランスＨ２は、前ケース円周リブ６０２１とＮＤ回転ダイヤル６０１との間のクリアランスＨ１よりも小さい。
【００５４】
これにより、クリアランスＨ１の隙間を通って侵入した小さな異物は、クリアランスＨ２の領域で充填されている潤滑剤６０８内に留まることになり、こうして、ＮＤユニット６００の内部に異物が侵入するのを防ぐことができる。また、このようなクリアランス構成をとることにより、潤滑剤６０８内に溜まる異物は小さな異物に限られる。そのため、ＮＤ回転ダイヤル６０１の動きに支障は生じ難く、よって、ＮＤ回転ダイヤル６０１の動きを良好な状態に維持することができる。
【００５５】
＜第４実施形態＞
図１９〜図２２を参照して、本発明の第４実施形態に係る回転操作部材であるＮＤ回転ダイヤルを含むＮＤユニットの構造について説明する。図１９は、本発明の第４実施形態に係るＮＤ回転ダイヤル７０１の密閉構造を示す断面図であり、図３中の矢視Ｂ−Ｂ断面に相当する図である。図２０は、ＮＤ回転ダイヤル７０１の密閉構造を示す拡大断面図であり、図１９中のＧ部の詳細を示している。図２１は、ＮＤ回転ダイヤル７０１において前ケース７０２と対向する面の斜視図である。図１２は、前ケース７０２においてＮＤ回転ダイヤル７０１と対向する面の斜視図である。なお、ＮＤ回転ダイヤル７０１の密閉構造以外のＮＤユニット７００の構造は、第１実施形態で説明したＮＤユニット４００と同様であるため、ここでの説明を省略する。
【００５６】
ＮＤユニット７００において、ＮＤ回転ダイヤル７０１は、前ケース７０２とダイヤルケース７０４との間に一定の隙間を設けて、回転軸部７０６を回転中心として回転可能に軸支持されている。ＮＤ回転ダイヤル７０１と前ケース７０２は、互いに対向する、回転中心軸Ｄに直交する面と平行な面を有する。また、ＮＤ回転ダイヤル７０１とダイヤルケース７０４は、互いに対向する、回転中心軸Ｄに直交する面と平行な面を有する。
【００５７】
ダイヤルケース７０４は、回転中心軸Ｄ上で後ケース７０３にカシメられた回転軸部７０６にビス固定されている。ＮＤ回転ダイヤル７０１は回転軸部７０６に回転可能に取り付けられたカム７０５とダイヤル係合部７０１３にて係合しているため、ＮＤ回転ダイヤル７０１を回転させると、カム７０５が同位相で回転する。
【００５８】
ＮＤ回転ダイヤル７０１と前ケース７０２との間には、クリックプレート７０７が設けられている。クリックプレート７０７は、１８０度対向する位置にクリックを出す凸部７０７ａ，７０７ｂを有する。前ケース７０２は、凸部７０７ａ，７０７ｂに対応するクリック摺動リブ７０２３ａ，７０２３ｂ，７０２３ｃ，７０２３ｄと、クリック凹部７０２４ａ，７０２４ｂ，７０２４ｃ，７０２４ｄを有し、クリック凹部７０２４ａ〜７０２４ｄは９０°毎に設けられている。
【００５９】
クリックプレート７０７は、ＮＤ回転ダイヤル７０１を前ケース７０２から引き離す方向に力を加えており、ＮＤ回転ダイヤル７０１と前ケース７０２との間に隙間が生じるため、この隙間を通したゴミ等の異物の侵入を防ぐ構造が必要となる。そこで、図２０及び図２２に示すように、前ケース７０２には、回転中心軸Ｄを中心として円周状に延在する前ケース円周リブ７０２１が設けられている。前ケース円周リブ７０２１は、ＮＤ回転ダイヤル７０１に向かって突出し、前ケース円周リブ７０２１とＮＤ回転ダイヤル７０１との間には一定のクリアランスＨ１が設けられている。これにより、大きさがＨ１以上の異物の侵入を防ぐことができる。
【００６０】
図２０及び図２１に示すように、ＮＤ回転ダイヤル７０１には、回転中心軸Ｄを中心として円周状に延在するダイヤル円周凸部７０１４が設けられている。ダイヤル円周凸部７０１４は、前ケース円周リブ７０２１の近傍において回転中心側に設けられており、前ケース７０２に向かって突出している。ダイヤル円周凸部６０１４の上面の略中央には、円周状に延在するダイヤル円周小リブ７０１５が設けられている。
【００６１】
一方、図２０及び図２２に示すように、前ケース７０２には、円周状に切り欠かれた前ケース円周溝部７０２２が設けられており、前ケース円周溝部７０２２には、潤滑剤７０８（図２２に示す斜線部）が充填される。ダイヤル円周小リブ７０１５は、前ケース円周溝部７０２２内に収まるように、且つ、前ケース円周溝部７０２２内に充填された潤滑剤７０８に接触するように設けられている。ダイヤル円周小リブ７０１５と前ケース円周溝部７０２２との間には、一定のクリアランスＨ２が設けられており、このクリアランスＨ２は、前ケース円周リブ６０２１とＮＤ回転ダイヤル６０１との間のクリアランスＨ１よりも小さい。
【００６２】
これにより、クリアランスＨ１の隙間を通って侵入した小さな異物は、クリアランスＨ２の領域で充填されている潤滑剤７０８内に留まることになり、こうして、ＮＤユニット７００の内部に異物が侵入するのを防ぐことができる。また、このようなクリアランス構成をとることにより、潤滑剤７０８内に溜まる異物は小さな異物に限られる。そのため、ＮＤ回転ダイヤル７０１の動きに支障は生じ難く、よって、ＮＤ回転ダイヤル７０１の動きを良好な状態に維持することができる。
【００６３】
＜その他の実施形態＞
以上、本発明を図示の実施の形態によって説明したが、本発明は上記実施の形態によって限定されることなく、発明の技術的思想の範囲内において各種の変更が可能である。例えば、上記実施形態では、ＮＤ回転ダイヤルのクリックバネの反力により隙間が生じる側にのみ円周リブ、円周凸部、円周溝部、潤滑剤による密閉構造を設けたが、クリックバネを設けずにＮＤ回転ダイヤルの両側に密閉構造を設けてもよい。
【符号の説明】
【００６４】
１００    撮像装置
４００，５００，６００，７００    ＮＤユニット
４０１，５０１，６０１，７０１    ＮＤダイヤル
４０２，５０２，６０２，７０２    前ケース
４０３，５０３，６０３，７０３    後ケース
４０４，５０４，６０４，７０４    ダイヤルケース
４０５，５０５，６０５，７０５    カム
４０６，５０６，６０６，７０６    回転軸部
４０７ａ，４０７ｂ，４０７ｃ，４０７ｄ    アームユニット
４１８，５０７，６０７，７０７    クリックプレート
４２２，５０８，６０８，７０８    潤滑剤
４０１４，５０１４    ダイヤル円周リブ
４０１５，７０１５    ダイヤル円周小リブ
４０２１，５０２１    前ケース円周凸部
４０２２，７０２２    前ケース円周溝部
５０１５，６０１５    ダイヤル円周溝部
５０２２，６０２２    前ケース円周小リブ
６０１４，７０１４    ダイヤル円周凸部
６０２１，７０２１    前ケース円周リブ
【図１】
2014044311.tif 000003
【図２】
2014044311.tif 000004
【図３】
2014044311.tif 000005
【図４】
2014044311.tif 000006
【図５】
2014044311.tif 000007
【図６】
2014044311.tif 000008
【図７】
2014044311.tif 000009
【図８】
2014044311.tif 000010
【図９】
2014044311.tif 000011
【図１０】
2014044311.tif 000012
【図１１】
2014044311.tif 000013
【図１２】
2014044311.tif 000014
【図１３】
2014044311.tif 000015
【図１４】
2014044311.tif 000016
【図１５】
2014044311.tif 000017
【図１６】
2014044311.tif 000018
【図１７】
2014044311.tif 000019
【図１８】
2014044311.tif 000020
【図１９】
2014044311.tif 000021
【図２０】
2014044311.tif 000022
【図２１】
2014044311.tif 000023
【図２２】
2014044311.tif 000024